(57)【要約】【課題】車両へ不要な通知が送信されることを防止した車両異常通知システム及び装置並びに車載装置を提供すること。【解決手段】車両において車両状態の異常が検出されたときに当該車両の運転者へ所定のメッセージを送信する車両異常通知装置を、対象車両において車両状態の異常が検出されたときであっても、当該対象車両が所定のエリア（１ヶ所以上の車両の整備が行われる領域；自動車販売店の修理工場／サービス工場など）内に位置するときには、当該対象車両の運転者へ上記所定のメッセージを送信しないように構成する。【選択図】図１
2007156949.tif 000002
【特許請求の範囲】
【請求項１】
車両において車両状態の異常が検出されたときに当該車両の運転者へ所定のメッセージを送信する車両異常通知装置であって、
対象車両において車両状態の異常が検出されたときであっても、当該対象車両が所定のエリア内に位置するときには、当該対象車両の運転者へ前記所定のメッセージを送信しない、ことを特徴とする車両異常通知装置。
【請求項２】
請求項１記載の車両異常通知装置であって、
前記所定のエリアは、１ヶ所以上の車両の整備が行われる領域である、ことを特徴とする車両異常通知装置。
【請求項３】
車両に搭載され、
車両において車両状態の異常が検出されたときに当該車両の運転者へ所定のメッセージを送信する車両異常通知装置と通信し、
自車両の車両状態に異常が検出されたときに前記車両異常通知装置へ異常発生情報を送信する車載装置であって、
自車両において車両状態の異常が検出されたときであっても、自車両が所定のエリア内に位置するときには、前記異常発生情報を前記車両異常通知装置へ送信しない、ことを特徴とする車載装置。
【請求項４】
請求項３記載の車載装置であって、
前記所定のエリアは、１ヶ所以上の車両の整備が行われる領域である、ことを特徴とする車載装置。
【請求項５】
車両において車両状態の異常が検出されたときに所定の通信装置から当該車両の運転者へ所定のメッセージが送信される車両異常通知システムであって、
車両状態の異常が検出された車両が所定のエリア内に位置するか否かを判定する判定手段と、
前記判定手段により車両状態の異常が検出された車両が前記所定のエリア内に位置すると判定されたときには、前記所定の通信装置から当該車両の運転者へ前記所定のメッセージが送信されないようにするメッセージ送信禁止手段と、を含むことを特徴とする車両異常通知システム。
【請求項６】
請求項５記載の車両異常通知システムであって、
前記所定のエリアは、１ヶ所以上の車両の整備が行われる領域である、ことを特徴とする車両異常通知システム。
【発明の詳細な説明】
【技術分野】
【０００１】
本発明は、概して、車両状態の異常を検出し、車両運転者に通知する車両異常通知システムに係り、特に、車両へ不要な通知が送信されることを防止した車両異常通知システム及び装置並びに車載装置に関する。
【背景技術】
【０００２】
従来、車両状態の異常を検出し、車両運転者に通知する車両異常通知システムが知られている（例えば、特許文献１参照）。
【０００３】
特許文献１には、車両に搭載された車載装置が車両状態の異常を検知したときにその異常情報をセンタへ送信し、センタは当該車載装置へ異常の発生を知らせると共にサービス工場への入庫を勧めるメール（以下、単に「入庫案内メール」と呼ぶ）を送信するシステムが開示されている。
【特許文献１】特開２００５−１８２２８１号公報
【発明の開示】
【発明が解決しようとする課題】
【０００４】
しかしながら、上記特許文献１に開示された従来システムでは、販売店などの修理工場において修理・点検・車検などの目的でＥＣＵや、センサ、アクチュエータなどが取り外された場合にまで車両状態の異常として検出され、入庫案内メールが送信されてしまう。
【０００５】
上記特許文献１に開示された従来システムでは、入庫案内メール送信から所定期間経過するまで又は車両状態の変化量が設定値より大きくなるまで、同じ異常情報に基づく入庫案内メールを重ねて送信しないものとしているが、このような手法では上記のような正規の修理等の場合であっても最初の１回は入庫案内メールが車載装置に通知されてしまうことになる。
【０００６】
また、専門員のみが操作可能なように車載装置からセンタへの異常検出報告の送信をディスエブルさせるスイッチを車載装置に設け、正規の修理等の際には修理担当者に事前にこのスイッチを操作してもらうようにする手法も考えられるが、このような人手に頼った手法では操作忘れの可能性が残ると共に、系列外の修理工場などでは修理担当者が当該スイッチの存在をそもそも認識していない可能性もある。
【０００７】
本発明はこのような課題を解決するためのものであり、車両へ不要な通知が送信されることを防止した車両異常通知システム及び装置並びに車載装置を提供することを主たる目的とする。
【課題を解決するための手段】
【０００８】
上記目的を達成するための本発明の第一の態様は、車両において車両状態の異常が検出されたときに当該車両の運転者へ所定のメッセージを送信する車両異常通知装置であって、対象車両において車両状態の異常が検出されたときであっても、当該対象車両が所定のエリア内に位置するときには、当該対象車両の運転者へ上記所定のメッセージを送信しない、車両異常通知装置である。
【０００９】
この第一の態様において、上記所定のメッセージとは、例えば、異常発生を通知する内容及び／又は修理工場等での修理・点検を勧める内容などを含むメッセージであり、例えば電子メールの形式で、当該車両に搭載されたマルチメディア機器或いは予め登録された車両運転者の携帯又は固定の通信端末へ送信される。
【００１０】
また、この第一の態様において、上記所定のエリアとは、１ヶ所以上の車両の整備が行われる領域であり、例えば、自動車販売店の修理工場／サービス工場などといった車両の修理・点検・整備が行われ得る場所全般を包括的に指すものとする。
【００１１】
この第一の態様によれば、車両が所定のエリア内に位置するときには、正規の修理・点検などの作業による車両状態の変化が異常発生として検出されたものと判断して入庫案内メールが送信されないため、不要なメールの送信が回避され、通信費も低減される。
【００１２】
また、この第一の態様によれば、車両が所定のエリア内に位置していれば自動的に入庫案内メールが送信されないようにされるため、車両運転者や修理担当者に手間が掛からず、操作忘れの可能性もない。
【００１３】
なお、この第一の態様において、車両状態の異常が検出された車両の位置検出には、例えばＲＴＫ（Ｒｅａｌ  Ｔｉｍｅ  Ｋｉｎｅｍａｔｉｃ）−ＧＰＳ（Ｇｌｏｂａｌ  Ｐｏｓｉｔｉｏｎｉｎｇ  Ｓｙｓｔｅｍ；全地球測位システム）などの高精度ＧＰＳが用いられることが好ましい。
【００１４】
上記目的を達成するための本発明の第二の態様は、車両に搭載され、車両において車両状態の異常が検出されたときに当該車両の運転者へ所定のメッセージを送信する車両異常通知装置と通信し、自車両の車両状態に異常が検出されたときに前記車両異常通知装置へ異常発生情報を送信する車載装置であって、自車両において車両状態の異常が検出されたときであっても、自車両が所定のエリア内に位置するときには、前記異常発生情報を前記車両異常通知装置へ送信しない、車載装置である。
【００１５】
この第二の態様において、上記所定のメッセージとは、例えば、異常発生を通知する内容及び／又は修理工場等での修理・点検を勧める内容などを含むメッセージであり、例えば電子メールの形式で、自車両に搭載されたマルチメディア機器或いは予め登録された自車両運転者の携帯又は固定の通信端末へ送信される。
【００１６】
また、この第二の態様において、上記所定のエリアとは、１ヶ所以上の車両の整備が行われる領域であり、例えば、自動車販売店の修理工場／サービス工場などといった車両の修理・点検・整備が行われ得る場所全般を包括的に指すものとする。
【００１７】
この第二の態様によれば、車両が所定のエリア内に位置するときには、正規の修理・点検などの作業による車両状態の変化が異常発生として検出されたものと判断して異常発生情報を車両異常通知装置へ送信しないため、不要なデータ送信が回避され、通信費も低減される。
【００１８】
また、この第二の態様によれば、車両が所定のエリア内に位置していれば自動的に異常発生情報が送信されないようにされるため、車両運転者に手間が掛からず、操作忘れの可能性もない。
【００１９】
なお、この第二の態様において、自車両の位置検出には、例えばＲＴＫ−ＧＰＳなどの高精度ＧＰＳが用いられることが好ましい。
【００２０】
上記目的を達成するための本発明の第三の態様は、車両において車両状態の異常が検出されたときに所定の通信装置から当該車両の運転者へ所定のメッセージが送信される車両異常通知システムであって、車両状態の異常が検出された車両が所定のエリア内に位置するか否かを判定する判定手段と、前記判定手段により車両状態の異常が検出された車両が前記所定のエリア内に位置すると判定されたときには、前記所定の通信装置から当該車両の運転者へ前記所定のメッセージが送信されないようにするメッセージ送信禁止手段とを含む車両異常通知システムである。
【００２１】
この第三の態様において、上記所定のメッセージとは、例えば、異常発生を通知する内容及び／又は修理工場等での修理・点検を勧める内容などを含むメッセージであり、例えば電子メールの形式で、当該車両に搭載されたマルチメディア機器或いは予め登録された車両運転者の携帯又は固定の通信端末へ送信される。
【００２２】
また、この第三の態様において、上記所定のエリアとは、１ヶ所以上の車両の整備が行われる領域であり、例えば、自動車販売店の修理工場／サービス工場などといった車両の修理・点検・整備が行われ得る場所全般を包括的に指すものとする。
【００２３】
この第三の態様によれば、車両が所定のエリア内に位置するときには、正規の修理・点検などの作業による車両状態の変化が異常発生として検出されたものと判断して入庫案内メールが送信されないため、不要なメールの送信が回避され、通信費も低減される。
【００２４】
また、この第三の態様によれば、車両が所定のエリア内に位置していれば自動的に入庫案内メールが送信されないようにされるため、車両運転者や修理担当者に手間が掛からず、操作忘れの可能性もない。
【００２５】
なお、この第三の態様において、車両状態の異常が検出された車両の位置検出には、例えばＲＴＫ−ＧＰＳなどの高精度ＧＰＳが用いられることが好ましい。
【発明の効果】
【００２６】
本発明によれば、車両へ不要な通知が送信されることを防止した車両異常通知システム及び装置並びに車載装置を提供することができる。
【発明を実施するための最良の形態】
【００２７】
以下、本発明を実施するための最良の形態について、添付図面を参照しながら実施例を挙げて説明する。なお、車両において異常が検出された際に車両運転者に入庫案内メールを送信するシステムの基本概念、主要なハードウェア構成、作動原理、及び基本的な制御手法等については当業者には既知であるため、細部技術の詳細な説明は省略する。
【実施例】
【００２８】
以下、図１〜４を用いて、本発明の一実施例に係る車両異常通知システムについて説明する。
【００２９】
まず、図１を用いて、本実施例に係る車両異常通知システム１００全体の概略を説明する。
【００３０】
本実施例に係る車両異常通知システム１００は、対象車両Ｖに搭載された車載装置１０１と、例えば車両製造業者や自動車小売店や或いは専門業者などのサービス事業体により管理・運営された通信局であって、対象車両Ｖの運転者に異常発生を通知する車両異常通知装置であるセンタ１０２とから構成される。
【００３１】
車載装置１０１とセンタ１０２とは、無線通信を利用して、互いに通信できるように構成される。車載装置１０１とセンタ１０２の間の通信接続は、直接的な接続に限られず、車車間通信、路車間通信、及び／又は衛星通信を経由した通信接続であってもよい。
【００３２】
図１では、便宜上、対象車両ＶをＶ１及びＶ２の２台のみ図示しているが、当然、本実施例に係るセンタ１０２は、３台以上の車両Ｖについて並行して処理することが可能であり、センタ１０２は３台以上の車両Ｖと通信接続可能であるものとする。
【００３３】
本システム全体の基本的な動きを概略的に述べると、まず、車載装置１０１は、自車両Ｖにおいて車両状態の異常が検出されると、その旨を自車両位置情報と共にセンタ１０２へアップロードする。センタ１０２は、検出された異常が正規の修理等によるものであるか否かを推定して、修理等ではなく車両運転者への通知が必要であると判断した場合には、その車両Ｖの車載装置１０１へ異常の発生を知らせると共に自動車販売店などの修理工場／サービス工場といった車両の修理・点検・整備を行う店舗（以下、単に「販売店等」と呼ぶ）Ｇへの入庫（及び点検）を勧めるメール（以下、単に「入庫案内メール」と呼ぶ）を送信する。
【００３４】
本実施例において、センタ１０２は、車両Ｖが販売店等Ｇ（の敷地）の中に位置している場合に、車両の修理・点検等に伴う作業により車両状態が変化して異常発生と検出されてしまったものと判断して、入庫案内メールを送信しないようにする。
【００３５】
図２は、対象車両Ｖに搭載され、センタ１０２と通信する車載装置１０１の概略構成図である。
【００３６】
車載装置１０１は、無線通信を利用してセンタ１０２との間で情報を送受信するための送受信部２０１を有する。採用される通信方式は任意でよく、例えば携帯電話網を利用してもよい。また、送受信部２０１とセンタ１０２と間の通信接続は、直接的な接続に限られず、車車間通信、路車間通信、及び／又は衛星通信を経由した通信接続であってもよい。
【００３７】
車載装置１０１は、更に、例えばＧＰＳを利用して自車両の位置を検出する自車両位置検出部２０２を有する。自車両位置検出部２０２の検出精度（分解能）は高い（細かい）ほど好ましく、例えばＲＴＫ−ＧＰＳなどの高精度ＧＰＳが利用されることが好ましい。
【００３８】
車載装置１０１は、更に、車両状態の異常を検出する車両状態異常検出部２０３を有する。本実施例において、車両状態異常検出部２０３は、車両Ｖ内の各ＥＣＵとＣＡＮ（Ｃｏｎｔｒｏｌｌｅｒ  Ａｒｅａ  Ｎｅｔｗｏｒｋ）などの車内ＬＡＮで接続され、自己診断機能によりプロセッサやセンサ類の動作状態のチェックし、不具合が検出されるとウォーニングを発したり、ダイアグコードとして記録したりする。
【００３９】
車載装置１０１は、更に、少なくとも文字情報をユーザに視覚的に提示する表示部２０４を有する。表示部２０４は、例えば、インパネと一体化された又は独立した小型のＬＣＤ（液晶ディスプレイ）や、ホログラム虚像を利用したオーバーヘッドディスプレイなどのディスプレイを含む。
【００４０】
車載装置１０１は、更に、車載装置１０１の各構成要素を統括的に制御する主制御部２０５を有する。主制御部２０５は、例えば、ＥＣＵ（Ｅｌｅｃｔｒｏｎｉｃ  Ｃｏｎｔｒｏｌ  Ｕｎｉｔ；電子制御装置）である。
【００４１】
図３は、通信を利用して、車両Ｖに異常が発生したとき車両Ｖの車両運転者に入庫案内メールを送信するセンタ（車両異常通知装置）１０２の概略構成図である。
【００４２】
センタ１０２は、無線通信を利用して車載装置１０１との間で情報を送受信するための送受信部３０１を有する。採用される通信方式は任意でよく、例えば携帯電話網を利用してもよい。また、送受信部３０１と車載装置１０１と間の通信接続は、直接的な接続に限られず、車車間通信、路車間通信、及び／又は衛星通信を経由した通信接続であってもよい。
【００４３】
センタ１０２は、更に、特に販売店等の所在地に関する情報を含んだ地図情報を予め記憶保持すると共に、入庫案内メールを表す文字情報を定型文として記憶保持する記憶部３０２を有する。本実施例において、記憶部３０２は任意の記憶媒体でよい。また、記憶部３０２に記憶保持された地図情報は、例えば通信を利用して、適宜最新のデータに更新されることが好ましい。
【００４４】
センタ１０２は、更に、センタ１０２の各構成要素を統括的に制御する主制御部３０３を有する。主制御部３０３は、例えば、ＥＣＵである。
【００４５】
次いで、図４のフローチャートを参照して、本実施例における車載装置１０１及びセンタ１０２の動作を詳述する。
【００４６】
まず、車載装置１０１の主制御部２０５は、車両状態異常検出部２０３による検出結果を監視し（Ｓ４０１）、車両状態の異常が検出されると（Ｓ４０１の「ＹＥＳ」）、その検出されたウォーニング又はダイアグコードを自車両位置検出部２０２によって検出された自車両の位置情報と共に送受信部２０１を通じてセンタ１０２へ送信する（Ｓ４０２）。
【００４７】
センタ１０２の主制御部３０４は、送受信部３０１により車載装置１０１から位置情報と共に車両状態に異常が検出された旨の連絡が受信されると、その位置情報を記憶部３０２に記憶した地図情報に照らして送信元の車両Ｖが販売店等の敷地内に位置するか否かを判定する（Ｓ４０３）。
【００４８】
記憶部３０２に記憶した地図情報が販売店等の所在地を座標値でしか持っておらず、詳細な敷地領域まで把握できない場合、主制御部３０４は、例えば、販売店等の位置座標から所定半径の円内に送信元車両Ｖの位置座標が含まれるか否かによって送信元車両Ｖが販売店等の敷地内に位置するか否かを判定してもよい。
【００４９】
送信元車両Ｖが販売店等の敷地内に位置しないと判定された場合（Ｓ４０３の「ＮＯ」）、センタ１０２の主制御部３０３は、通常通り、記憶部３０２から入庫案内メールを抽出して送受信部３０１を通じて送信元車両Ｖの車載装置１０１へ送信する（Ｓ４０４）。
【００５０】
車載装置１０１の主制御部２０５は、送受信部２０１を通じてセンタ１０２から入庫案内メールが受信されると、受信されたメールを表示部２０４を通じて車両運転者へ表示させる。
【００５１】
他方、送信元車両Ｖが販売店等の敷地内に位置すると判定された場合（Ｓ４０３の「ＹＥＳ」）、センタ１０２の主制御部３０３は、販売店等における修理・点検などの作業によって車両状態が変化し、これが異常発生として検出されたものと判断して、すなわち入庫案内メールの送信が不要な場合であると判断して、送信元車両Ｖへ入庫案内メールを送信しない（Ｓ４０４をスキップ）。
【００５２】
このように、本実施例によれば、車両が販売店等に位置するときに異常が検出された場合には、修理・点検などの作業による車両状態の変化が異常発生として検出されたものと判断して入庫案内メールが送信されないため、不要なメールの送信が回避され、通信費も低減される。
【００５３】
また、本実施例によれば、修理・点検・整備中には自動的に入庫案内メールが送信されないようにされるため、車両運転者や修理担当者に手間が掛からず、操作忘れの可能性もない。
【００５４】
なお、上記一実施例においては、異常が検出された車両Ｖが販売店等の敷地内に位置すればその検出された異常は修理・点検等の作業による正当なものである（すなわち、入庫案内メールの送信は不要である）と判定するものとした。これは、ユーザが修理・点検等以外の用事で販売店等を訪れている間に車両状態が変化して新たに異常の発生が検出されるという事態は非常に稀であろうという洞察に基づいている。万が一このような事態が発生したとしても、上記一実施例によれば、ユーザが再び車両を運転して販売店等を出たときに入庫案内メールの送信禁止措置が自動的且つ速やかに解除され、ユーザに入庫案内メールが送信されるため、支障は生じないと考えられる。
【００５５】
それでもなお比較的簡易な手法を用いながらもより慎重に車両Ｖが修理・点検等の作業中であるか否かをセンタ１０２が判定する方法として、例えば、Ａ）センタ１０２が対象車両Ｖの入庫予約スケジュールを入手できるようにし、車両の位置が販売店等の敷地内にあって且つその日時が入庫予約スケジュールと一致したときのみ、異常が検出されても入庫案内メールが送信されないものとしてもよく、或いは、Ｂ）車載装置１０１が自車両Ｖの車速も検出してセンタ１０２へアップロードするようにし、車両の位置が販売店等の敷地内にあって且つ送信元車両Ｖの車速がゼロのときのみ、異常が検出されても入庫案内メールが送信されないものとしてもよく、或いは、Ｃ）車載装置１０１がスマートエントリー用のキーが車室内に存在するか否かを検出して結果をセンタ１０２へアップロードするようにし、車両の位置が販売店等の敷地内にあって且つキーが車室内に存在しないときのみ、異常が検出されても入庫案内メールが送信されないものとしてもよく、或いは、Ｄ）車載装置１０１が運転席への人間の着座の有無を検出して結果をセンタ１０２へアップロードするようにし、車両の位置が販売店等の敷地内にあって且つ運転席に人が着座していないときのみ、異常が検出されても入庫案内メールが送信されないものとしてもよく、或いは、Ｅ）販売店等の敷地内で送信元車両Ｖが所定回数以上停車位置を変更したときのみ、異常が検出されても入庫案内メールが送信されないものとしてもよく、或いは、Ｆ）これら条件の任意の組み合わせによって異常が検出されても入庫案内メールが送信されないものとしてもよい。
【００５６】
さらに、上記一実施例においては、一例として、車両状態の異常が検出された車両が販売店等で正規に修理・点検等の作業中であるか否かの推定・判定を、位置情報を利用して、センタ１０２側で行う場合について説明したが、本発明に係る車両異常通知システムはこのような形態に限られず、車両側で判定するようにしてもよい。この場合、センタ１０２から異常発生車両Ｖへの入庫案内メールの送信が回避されるだけでなく、車両Ｖからセンタ１０２への異常発生報告（及び位置情報）のアップロードも回避されるため、上記一実施例の場合よりも更に通信費が低減される。
【００５７】
このように車両側で自車両が修理・点検等の作業中であるか否かを判定する場合、例えば、１）上記一実施例と同様の車両位置を地図情報に照らす判定を車両側において実施するようにしてもよく、或いは、２）車載装置１０１が例えばダイアグコードを読み出すサービスツールなどの修理・点検等の作業に用いられるツールが自車両Ｖに接続されているか否かを検出できるようにし、そのようなツールが接続されている間は主制御部２０５が車両状態異常検出部２０３によって異常が検出されても異常発生を（位置情報と共に）センタ１０２へ連絡しないようにしてもよい。
【産業上の利用可能性】
【００５８】
本発明は、車両において異常が検出された際に車両運転者に入庫案内メールを送信するシステムに利用できる。対象となる車両の外観、重量、サイズ、走行性能等は問わない。
【図面の簡単な説明】
【００５９】
【図１】本発明の一実施例に係る車両異常通知システムの概略構成図である。
【図２】本発明の一実施例に係る車両異常通知システムにおける車載装置の概略構成図である。
【図３】本発明の一実施例に係る車両異常通知システムにおける車両異常通知装置（センタ）の概略構成図である。
【図４】本発明の一実施例に係る車両異常通知システムにおける車両異常通知処理の流れを示すフローチャートである。
【符号の説明】
【００６０】
１００  車両異常通知システム
１０１  車載装置
１０２  センタ（車両異常通知装置）
２０１  送受信部
２０２  自車両位置検出部
２０３  車両状態検出部
２０４  表示部
２０５  主制御部
３０１  送受信部
３０２  記憶部
３０３  主制御部
【図１】
2007156949.tif 000003
【図２】
2007156949.tif 000004
【図３】
2007156949.tif 000005
【図４】
2007156949.tif 000006